(57)【要約】【課題】  板状の導光部材の入光部に光源を設けるものにおいても、安定した光照射を行なうことができる発光装置を提供する。【解決手段】  一端部の端面を入光部４とすると共に出光部３を有する板状の導光部材２０と、該導光部材２０における入光部４となる端部に設置される光源ユニット１を備えている。前記光源ユニット１は、複数のＬＥＤ１１が互いに離間した状態で並設されると共に前記ＬＥＤ１１の位置から該ＬＥＤ１１の並設方向にずらして係止部１７が設けられている。入光部４には前記係止部１７を係止可能な被係止部４１が設けられる。被係止部４１に係止部１７を係止することで導光部材２０に対して光源ユニット１が取り付けられる。取り付け状態において被係止部４１が各ＬＥＤ１１に対してＬＥＤ１１の並設方向にずれている。【選択図】        図１
2010267546.tif 000002
【特許請求の範囲】
【請求項１】
一端部の端面を入光部とすると共に該入光部から内部に入光した光を外部へと照射する出光部を有する板状の導光部材と、該導光部材における入光部となる端部に設置される光源ユニットを備え、前記光源ユニットは、複数のＬＥＤが互いに離間した状態で前記導光部材の入光部となる端面に沿って並ぶように並設されると共に前記ＬＥＤの位置から該ＬＥＤの並設方向にずらして係止部が設けられ、導光部材の入光部には前記係止部を係止可能な被係止部が設けられ、導光部材の被係止部に光源ユニットの係止部を係止することで導光部材に対して光源ユニットが取り付けられ、この取り付け状態において導光部材に設けられた被係止部が各ＬＥＤに対してＬＥＤの並設方向にずれていることを特徴とする発光装置
【請求項２】
前記入光部となる端部が一直線となるように導光部材が複数並設され、前記光源ユニットは前記係止部を複数有し、光源ユニットが互いに隣接する導光部材間にまたがって取り付けられた請求項１記載の発光装置。
【発明の詳細な説明】
【技術分野】
【０００１】
本発明は、導光部材を用いた発光装置に関するものである。
【背景技術】
【０００２】
従来から、導光部材に入光部と出光部が設けられると共に、入光部に近接対向させて光源が配設され、光源からの光が導光部材に入射されて、この光を出光部から出射させるようにした発光装置として、例えば、特許文献１により示すものが知られている。
【０００３】
この特許文献１により示す発光装置は、三角柱状の導光部材の一側面を入光部とすると共に、他の側面を出射面とし、光源をこの入光部に近接対向させて配設したものである。この光源は、複数のＬＥＤ（Light Emitting Diode；発光ダイオード）が互いに離間した状態で並設して構成されている。そして、導光部材の入光部から入射されたＬＥＤからの光を出射面から出射させ、この出射面から出射する光により被照射物を照らすように構成したものである。
【先行技術文献】
【特許文献】
【０００４】
【特許文献１】特開２００８−２３４８７６号公報
【発明の概要】
【発明が解決しようとする課題】
【０００５】
ところで上記の発光装置のように光源に用いられたＬＥＤは、点光源で且つ指向性があり、しかも、各ＬＥＤが離間した状態で配設されているため、上述した三角柱状の導光部材のような入光部と出射面との距離が短いものの場合、ＬＥＤから発せられた指向性のある光が出射面に至るまでに充分に広がらずに、それぞれのＬＥＤの光が導光部材内で充分に混じり合わないまま出射してしまうこととなる。その結果、光量のない又は光量の著しく少ない領域Ｓ（例えば、図４参照）が影響して、いわゆる光ムラ（輝度ムラ）が生じてしまう場合があった。
【０００６】
そこで、上記問題を解決するために、本発明者らは、板状の導光部材のいずれかの端部の端面に入光部を設けると共に、入光部とは反対側の端部に出光部を設けることで、入光部と出光部とを離間させることを考えた。
【０００７】
こうすることで、複数のＬＥＤを互いに離間させて並設した状態で配設した光源からの光であっても、導光部材内で多重反射を繰り返しながら伝播させることができる。この結果、出光部に至るまでには各ＬＥＤの光を十分に混合できて、出光部から出射する光を輝度ムラのない均一な光とすることができた。
【０００８】
ここで、このような発光装置において、板状の導光部材の入光部に対して光源を近接対向させた状態のまま固定する必要がある。そこで、図８に示すような導光部材に対する光源の固定方法が考え出された。すなわち、ハウジング６ａの後部に光源１１´を固定した上で、導光部材２０ａを覆うハウジング６ａを、導光部材２０ａの下面、上面、後面（光源１１´側）、前面（出光部側）のすべてを覆うように構成する。そして、ハウジング６ａの前面の周縁を全周に亘って残し且つ中央のみに開口部８を設けて、この開口部８を通して出光部からの光を照射させようとした。
【０００９】
このような固定方法を用いた場合、ハウジング６ａ前面の周縁で導光部材２０ａの抜け止めを図ったものでしかないため、ハウジング６ａ内で導光部材２０ａががたついてしまい、結果として、導光部材２０ａと光源１１´との位置関係が保てず、照射ごとに照射光の照度や輝度が変化してしまい、安定した光照射ができないという問題があった。その上、抜け止めのために残したハウジング６ａ前面の周縁によって、出光部の照射範囲が狭くなってしまうという問題もあった。
【００１０】
一方、図９に示すように、ハウジング６ｂの前面のみをすべて開放し、この開放部に光透過性を有するカバー８１を配設することも考えられるが、この構成によれば、出光部の照射範囲を大きくできるものの、ハウジング６ｂ内で導光部材２０ａががたついてしまうという問題が依然として残っており、安定した光量の光照射ができなかった。
【００１１】
本発明は、上記事情に鑑みてなされたものであり、その目的とするところは、板状の導光部材の入光部に光源を設けるものにおいても、安定した光照射を行なうことができる発光装置を提供することにある。
【課題を解決するための手段】
【００１２】
上記課題を解決するために本発明の発光装置は以下の構成を備えている。
【００１３】
すなわち、請求項１に係る本発明の発光装置は、一端部の端面を入光部４とすると共に該入光部４から内部に入光した光を外部へと照射する出光部３を有する板状の導光部材２０と、該導光部材２０における入光部４となる端部に設置される光源ユニット１を備えている。前記光源ユニット１は、複数のＬＥＤ１１が互いに離間した状態で前記導光部材２０の入光部４となる端面に沿って並ぶように並設されると共に前記ＬＥＤ１１の位置から該ＬＥＤ１１の並設方向にずらして係止部１７が設けられている。導光部材２０の入光部４には前記係止部１７を係止可能な被係止部４１が設けられている。導光部材２０の被係止部４１に光源ユニット１の係止部１７を係止することで導光部材２０に対して光源ユニット１が取り付けられる。そして、この取り付け状態において導光部材２０に設けられた被係止部４１が各ＬＥＤ１１に対してＬＥＤ１１の並設方向にずれている。
【００１４】
このように構成したことで、導光部材２０に対してＬＥＤ１１を確実に固定することができる。また、導光部材２０に光源ユニット１を取り付け状態においても、導光部材２０に設けられた被係止部４１が各ＬＥＤ１１に対してＬＥＤ１１の並設方向にずれているため、ＬＥＤ１１からの光が入光部４に入光するに当たって、被係止部４１が妨げとならない。
【００１５】
また、請求項２に係る本発明の発光装置は、請求項１に係る発光装置において、前記入光部４となる端部が一直線となるように導光部材２０が複数並設される。前記光源ユニット１は前記係止部１７を複数有している。光源ユニット１が互いに隣接する導光部材２０間にまたがって取り付けられている。
【００１６】
このように構成したことで、隣接する複数の導光部材２０を光源ユニット１を用いて連結することができる。しかも、２つの導光部材２０に対して一つの光源ユニット１を取り付けるため、光源ユニット１の数を減らすことができて、コストダウンすることができる。
【発明の効果】
【００１７】
本願発明によれば、板状の導光部材の入光部にＬＥＤを設けるものにおいても、導光部材に対してＬＥＤを確実に固定することができるため、照度や輝度の安定化を図ることができる。しかも、導光部材に光源ユニットを取り付け状態において、導光部材に設けられた被係止部が各ＬＥＤに対してＬＥＤの並設方向にずれているため、ＬＥＤからの光が入光部に入光するに当たって被係止部が妨げとならず、効果的な照射が可能となるものである。
【図面の簡単な説明】
【００１８】
【図１】本発明の一実施形態の一部を省略した要部の分解斜視図である。
【図２】同上の光源ユニットの分解斜視図である。
【図３】図１においてハウジングを省略した平面図である。
【図４】図３において基板ケース部を更に省略した平面図である。
【図５】同上の発光装置を取り付けた洗面化粧台の全体斜視図である。
【図６】同上の洗面化粧台に取り付けられた発光装置の分解斜視図である。
【図７】他の実施形態の要部平面図である。
【図８】参考例の概略断面図である。
【図９】参考例の概略断面図である。
【発明を実施するための形態】
【００１９】
以下、本発明について添付図面に基づいて説明する。
【００２０】
本発明の一実施形態の発光装置Ａは図１乃至図４に示し、また図５は、この発光装置Ａを取り付けた洗面化粧台７での使用例を示している。以下、この使用例における発光装置Ａの取付け状態に応じて説明する。
【００２１】
この洗面化粧台７は、図５に示すように、洗面ボウル７２を備えた洗面台７１の上方位置に、前面に鏡７３を配した上部キャビネット７４を配置し、この上部キャビネット７４の上部に発光装置Ａが取り付けられたものである。
【００２２】
発光装置Ａは、図６に示すように、薄板状の導光部２と、導光部２のいずれかの端部の端面に対向して設けられた発光ダイオード（以下、ＬＥＤという）１１から成る光源ユニット１とを備えている。本実施形態においてこの発光装置Ａは、薄板状の導光部２の一対の主面２１が上下に向いた状態で取り付けられる。なお、説明の便宜上、本実施形態の発光装置Ａを、導光部２において、入光部４がある端部側（一端部）を後方とし、出光部３がある端部側（他端部）を前方として説明する。
【００２３】
導光部２は、図６に示すように、薄板状の光透過性を有する透明な導光部材２０を、長手方向に複数連結させて（本実施形態では６個連結させている）構成されている。この導光部２は、平面視において入光部４及び出光部３のある辺がそれぞれ長辺２２となっており、入光部４及び出光部３に略直角な辺が短辺２３となっている。この長辺２２は短辺２３に比べて十分長くなっており、全体として平面視帯形状で且つ厚みの薄い板状の導光部２となっている。
【００２４】
導光部材２０は、図１に示すように、上下に備える一対の主面２１と、該主面２１の外周を囲んで端面とを備えている。この導光部材２０の後方の端部の端面が入光部４となっており、導光部材２０の入光部４とは反対側の端部である前端部が出光部３となっている。
【００２５】
この入光部４には、後述する光源ユニット１に設けられた係止部１７を係止可能な被係止部４１が複数（本実施形態においては、一つの導光部材に対して４箇所）設けられている。この被係止部４１は、図３に示すように、導光部材２０の入光部４のある端面に沿う方向に並ぶように複数並設して設けられており、入光部４の端面に直角な方向に凹むようにして且つ導光部材２０の厚み方向に貫通して設けられた溝部４２と、該溝部４２の奥部に設けられた抜け止め部４３とを備えている。また、図１に示すように、本実施形態の導光部材２０は、導光部材２０の下面の主面２１に対して導光部材２０の上面の主面２１がやや傾斜しており、この傾斜は、入光部４から出光部３に近づくほど下面と上面との距離が離れるような傾斜になっている。つまり、入光部４から出光部３にかけて徐々に板厚が厚くなるように構成されている。
【００２６】
出光部３は、図１に示すように、導光部材２０の上面の主面２１に設けられこの上面から滑らかに連続した曲面で構成される第一出射部３２と、導光部材２０の出光部３側の下面に位置する第二出射部３３とから構成されている。
【００２７】
第一出射部３２は、前端ほど下方に位置する曲面で形成されており、この前端ほど下方に位置する曲面に入射して全反射せずに屈折しながら出射する光が、第一出射部３２から出射する光となっている。すなわち、導光部材２０内において多重反射を行ないながら伝播した光のうちの一部の光が、第一出射部３２から出射する光となる。一方、この前端ほど下方に位置する曲面（すなわち、第一出射部３２）は、導光面３１ともなっている。この導光面３１は、該導光面３１に全反射した光を第二出射部３３に向けて導光するようになっている。
【００２８】
第二出射部３３は、導光部材２０の前端部の下面から導光部材２０の長手方向全長に亘って下方に向けて突条部３４を突設し、この突条部３４の下面に他端部側の前端ほど上方に位置する凸曲面３５を形成したものである。この第二出射部３３と第一出射部３２との境界は、導光部材２０の下面と略同じ高さ位置か、又は、導光部材２０の下面よりも下方に位置するようになっている。
【００２９】
このような導光部材２０に光源ユニット１からの光を入射させると、導光部材２０内において多重反射を行ないながら光が伝播し、出光部３に差し掛かった光のうち導光面３１に対して全反射条件を満たさない光は、第一出射部３２から出射する光となると共に、導光面３１に対して全反射条件を満たした光は第二出射部３２に向かって全反射して、そのうちの大部分が第二出射部３３から出射する光となる。すなわち、本実施形態の発光装置Ａは第一出射部３２と第二出射部３２との異なる２箇所から出射できるものであり、第一出射部３２から出射する光は、略水平方向前方に向けた光となると共に、第二出射部３３から出射する光は、前斜め下方に向けた光となる。
【００３０】
ここで、第二出射部３３を凸曲面３５で構成したのは、第二出射部３３から光を出射させるに当たって、第二出射部３３に凸曲面３５を設けない場合よりも、より鉛直下方側に近い方向に出射させることが可能となるからである。
【００３１】
光源ユニット１は、指向性のある点光源たるＬＥＤ１１を複数設け、各ＬＥＤ１１を互いに離間させた状態で配設したものである。詳しく説明すると、光源ユニット１は、図２に示すように、複数のＬＥＤ１１が配設された基板部１２と、ＬＥＤ１１を覆うようにして基板部１２に設けられ該基板部１２と導光部材２０との間に配置された基板ケース部１６とで構成されている。
【００３２】
基板部１２は、複数のＬＥＤ１１（本実施形態では２個）が一定の間隔で離間した状態で、上下方向の略中間部に一直線状に配置されており、このＬＥＤ１１よりも該ＬＥＤ１１の並設方向における外側の上縁には、基板ケース部１６が取り付けられる被取付部１３を備えている。また、基板部１２の中央には基板ケース部１６の間隔規定部１８１に当接する当接面１４が設けられており、この当接面１４の両側の上下両縁部には位置規定部１５が設けられている。
【００３３】
基板ケース部１６は、アクリル系樹脂製の光透過性を有する透明部材で形成されている。基板ケース部１６の中央は、導光部材２０の入光部４に向けた各ＬＥＤ１１の光を透過し且つ入光部４に前面が当接する光透過面１６１となっており、該光透過面１６１の上下両端から基板部１２側に向けて横面部１８が突設されている。この横面部１８には、ＬＥＤ１１が設けられた基板部１２と導光部材２０の入光部４との距離を一定の間隔に保つ間隔規定部１８１が設けられている。間隔規定部１８１の両側は基板部１２の位置規定部１５に挿通される位置決め片１８２となっている。また、基板ケース部１６の両端で且つＬＥＤ１１に対して該ＬＥＤ１１の並設方向にずれた位置には、導光部材２０側に突出した係止部１７が設けられており、この係止部１７は突出先端に膨出部１７１を備えている。さらに、基板ケース部１６の両端には、この係止部１７の突出方向とは反対側に向けて（すなわち、基板部１２側に向けて）、基板部１２の被取付部１３と係合する係止片１９が設けられている。
【００３４】
このような基板部１２に基板ケース部１６が取り付けられて、光源ユニット１が構成される。詳しく説明すると、基板部１２の被取付部１３の縁部に基板ケース部１６の係止片１９をあてがい、そのまま基板ケース部１６を基板部１２側に押し込んでいくと、基板部１２の位置規定部１５に基板ケース部１６の位置決め片１８２が挿通されていく。そのまま押し込みを続けると、いずれ、基板ケース部１６の上下の横面部１８に設けられた間隔規定部１８１が、基板部１２の当接面１４に当接し、それと同時に、基板部１２の被取付部１３に基板ケース部１６の係止片１９が係合して、光源ユニット１の組み立てが完了する。
【００３５】
このように構成された光源ユニット１を導光部材２０に取り付けるに当たっては、以下のように行なう。
【００３６】
すなわち、光源ユニット１は導光部材２０の入光部４に設けられた被係止部４１に係止されるのであるが、図１に示すように、導光部材２０の被係止部４１の上方から、下方に向けて光源ユニット１の係止部１７をスライド挿入して設置する。このとき、光源ユニット１の係止部１７の先端に備わる膨出部１７１を導光部材２０の抜け止め部４３に挿入するようにする。
【００３７】
このような構成によって、導光部材２０に対して光源ユニット１が前後左右方向に位置決めされる。すなわち、図３に示すように、導光部材２０の被係止部４１の溝部４２と光源ユニット１の係止部１７とで、入光部４の端面に沿う方向に位置決めされ、また、導光部材２０の被係止部４１の抜け止め部４３と光源ユニット１の膨出部１７１とで、入光部４の端面に直角な方向に対して位置決めがなされる。
【００３８】
また、光源ユニット１は、光軸が入光部４と出光部３とを結んだ方向と略平行な方向となるように、後方から前方に向けて（後方から出光部３に向けて）発光するように取り付けられている。このような光源ユニット１が、複数の導光部材２０を長手方向に連ねて構成された導光部２の入光部４のある長辺２２に沿うように配設される（本実施形態においては、一つの導光部材２０に対して一つの光源ユニット１が取り付けられている）。
【００３９】
このように光源ユニット１を導光部材２０に取り付けた状態では、図４に示すように、ＬＥＤ１１と被係止部４１とは互いに、ＬＥＤ１１の並設方向にずれた位置に位置するようになっており、ＬＥＤ１１を発光した場合であっても、被係止部４１によって入光部４への入射が妨げられることがない。なお、図４中の符号Ｓは、光量のない又は光量の著しく少ない領域を示している。
【００４０】
このとき、光源ユニット１が導光部材２０に取り付けられた状態において、光源ユニット１の基板ケース部１６の光透過面１６１は、導光部材２０の入光部４の端面と当接しており、入光部４と基板部１２との間の距離が、基板ケース部１６の間隔規定部１８１により常に一定に保たれる。つまり、入光部４とＬＥＤ１１との距離を常に一定の寸法に保つことができ、これに加えて、導光部材２０の被係止部４１と光源ユニット１の係止部１７とが係止することにより、導光部材２０に対するＬＥＤ１１の位置関係を確実に一定のものとすることが可能となる。この結果、出光部３から出射する光の輝度や照度が安定したものとなる。
【００４１】
なお、光源ユニット１のＬＥＤ１１と導光部材２０の入光部４との距離が一定に保たれないと、入光部４に入射する光量が一定のものとはならず、その結果、出光部３から出射する光の輝度や照度が不安定なものとなる。すなわち、導光部材２０の入光部４の厚み方向に注目した場合、ＬＥＤ１１の発した光は厚み方向においてやや広がりながら進行するため、ＬＥＤ１１と入光部４との間隔が一定でないと、光漏れが生じるケースが発生し、導光部材２０に入射する光量が不安定となるからである。
【００４２】
また、光源ユニット１を導光部材２０に対して固定するに当たって、出光部３を覆うような取り付け方となっていないため、出光部３の照射範囲を狭めてしまうことがない。
【００４３】
さらに、本実施形態のようにＬＥＤ１１で光源ユニット１を構成することにより、導光部材２０の一層の薄板化が図れることとなる。更に言えば、光源ユニット１にＬＥＤ１１を採用したことにより低消費電力で発光することができるので、ランニングコストの低コスト化を図ることが可能となる。なお、本実施形態のＬＥＤ１１はチップタイプのチップＬＥＤを用いているが特に限定されない。また、ＬＥＤ１１の光の色も特に限定されるものではない。
【００４４】
上記のような構成の導光部材２０及び光源ユニット１は、図６に示すように、ハウジング６に内装される。このハウジング６は、下部ハウジング６１と上部ハウジング６２とに分割可能となっており、この下部ハウジング６１と上部ハウジング６２とで囲まれる部分に光源ユニット１が取り付けられた導光部材２０が内装される。
【００４５】
以上のように構成された発光装置Ａには、図６に示すように、光透過性を有する照明カバー５が取り付けられる。
【００４６】
照明カバー５は、光透過性を有する透明材料であるアクリル樹脂で構成されている。照明カバー５は、上面部５２と正面部５３と下面部（図示せず）とが連設されて断面略コ字形状に形成されており、正面部５３と下面部（図示せず）の一部とが発光装置Ａからの光を透過する透過部５１となっている。正面部５３は、透過部５１を透過する光を拡散させる光拡散部５４が形成されており、本実施形態においては、シボ加工を施すことで透過する光を乱反射させるようになっている。また、下面部（図示せず）には、導光部材２０の第二出射部３３から出射した前斜め下方の光を鉛直下方側に向けて屈折させるレンズ部（図示せず）が設けられている。このような照明カバー５は、発光装置Ａの出光部３を全長に亘って覆う長さに形成されている。
【００４７】
以上のような構成の発光装置Ａは、上述の通り、洗面化粧台７に装着される。
【００４８】
本実施形態の洗面化粧台７は、図５に示すように、洗面ボウル７２を備えた洗面台７１と、この洗面台７１の上部に設けられた上部キャビネット７４とを備えており、この上部キャビネット７４の上部に上記発光装置Ａが取り付けられている。
【００４９】
洗面ボウル７２は、洗面ボウル７２の上部に設けられた給水栓７０から吐出された湯水を受ける部分であり、上方に開口した椀形状に形成されている。そして洗面ボウル７２の最低部には、排水管に連通する排水口部（図示せず）が設けられている。
【００５０】
また、洗面台７１の下部は収納部７９となっている。この収納部７９には、内部に小物を収納可能で且つスライド自在な引き出し部７８を備えている。
【００５１】
この洗面台７１の上方位置に設けられた上部キャビネット７４は、前方に開口した矩形箱状のキャビネット本体７６と、このキャビネット本体７６の前部に開閉自在に枢支された扉体７７と、この扉体７７の前面部の略前面に亘って配設された鏡７３とを備えている。また、キャビネット本体７６の上部には、上記発光装置Ａが収容される装置収容部が設けられており、鏡７３が配された扉体７７の上端は、この装置収容部の底部よりも僅かに低い部位に位置するように構成されている。なお、このキャビネット本体７６の内部は、棚板（図示せず）や縦仕切り板（図示せず）で仕切って収納部（図示せず）が形成されている。
【００５２】
このような装置収容部に上記発光装置Ａを装着すると、図５に示すように、発光装置Ａの出光部３を内部に収容した照明カバー５の前端部のみが上部キャビネット７４の鏡７３よりも前方に突出するようになっている。つまり、この発光装置Ａの出光部３及び照明カバー５の前端部以外の部分は、上部キャビネット７４のキャビネット本体７６と扉体７７とによって外部から見えないように覆われており、上部キャビネット７４の鏡７３からの突出部分がほんの僅かな範囲となるため、突出部分が目立たないものとなる。
【００５３】
しかも、導光部材２０は薄板状に形成されたものであるため、出光部３の正面視においては、左右に細長い線状の外観を呈するものとなり、従来にない外観を呈する洗面化粧台７を提供することができる。
【００５４】
このような構成の洗面化粧台７の発光装置Ａから光を照射させると、第一出射部３２から出射する光により洗面化粧台７の使用者の顔周辺を照射できる。しかも、第二出射部３３から前斜め下方に出射した後に照明カバー５のレンズ部により鉛直下向き側に屈折させた光により、使用者の手元となる洗面化粧台７の洗面ボウル７２を効果的に照らすことができ、洗面化粧台７の使用性を大幅に向上させる。
【００５５】
なお、レンズ部により屈折させた第二出射部３３からの光の一部は、鉛直下向き方向よりも鏡７３側に向いた方向を照らす光となるが、発光装置Ａが設置された部位から鏡７３側を照らせば、鏡７３により反射した光により、間接的に洗面ボウル７２を照らすことができ、いずれにしても手元となる洗面ボウル７２を照らす光として寄与することができるものとなる。
【００５６】
その上、照明カバー５の正面部５３に光拡散部５４を設けたから、使用者の顔周辺を照らす第一出射部３２からの光が、拡散されてやわらかな光となり、使用者が眩しく感じるのを防止することができる。
【００５７】
次に、他の実施形態について図７に基づいて説明する。なお、本実施形態は図１乃至図６に示す実施形態と大部分において同じであるため、同じ部分においては同符号を付して説明を省略し、主に異なる部分について説明する。
【００５８】
本実施形態の光源ユニット１は、隣接する導光部材２０にまたがって取り付けられている。すなわち、光源ユニット１に設けられた２つの係止部１７のうち一方を任意の導光部材２０の被係止部４１に係止すると共に、他方の係止部１７を隣接する導光部材２０の被係止部４１に係止してある。
【００５９】
このように構成すれば、隣接する複数の導光部材２０を光源ユニット１を用いて連結することができて、導光部材２０に対する光源ユニット１の固定のみならず、各導光部材２０相互の固定もできる。しかも、２つの導光部材２０に対して一つの光源ユニット１を取り付けるため、光源ユニット１の数を減らすことができて、コストダウンすることができる。
【００６０】
以上、洗面化粧台７に基づいて本発明の発光装置Ａを説明したが、洗面化粧台７に限定されるものではなく、発光装置Ａが取り付けられるものであれば、例えば、本棚などといった家具に対しても同じ様に適用することが可能である。
【００６１】
また、第一の実施形態では、一つの導光部材２０に対して一つの光源ユニット１を取り付けた構成であったが、例えば、一つの導光部材２０に対して複数の光源ユニット１を取り付ける場合であってもよい。また、光源ユニット１に設けた係止部１７は、２箇所であることに特に限定されるものではなく、１箇所又は３箇所以上に設けたものであってもよいものとする。
【００６２】
上記実施形態において、発光装置Ａの導光部材２０は薄板状の透明な部材で構成されているが、例えば、アクリル系樹脂、ガラス、ポリカーボネート樹脂、エポキシ系樹脂、シリコーン樹脂等の光透過性を有する材料を好適に使用することができる。また、照明カバー５や基板ケース部１６の材質もアクリル樹脂に限定されるものではなく、上記材質を好適に使用することが可能である。
【００６３】
上記実施形態の光源ユニット１を導光部材２０に取り付ける構造は、上記発光装置Ａの構成に限定されず、例えば、エッジライト式の面発光装置に対しても適用することが可能である。
【符号の説明】
【００６４】
１      光源ユニット
１１    ＬＥＤ
１２    基板部
１６    基板ケース部
１６１  光透過面
１７    係止部
１８    横面部
１８１  間隔規定部
１８２  位置決め片
２０    導光部材
２１    主面
３      出光部
３１    導光面
３２    第一出射部
３３    第二出射部
３４    突条部
３５    凸曲面
４      入光部
４１    被係止部
Ａ      発光装置
【図１】
2010267546.tif 000003
【図２】
2010267546.tif 000004
【図３】
2010267546.tif 000005
【図４】
2010267546.tif 000006
【図５】
2010267546.tif 000007
【図６】
2010267546.tif 000008
【図７】
2010267546.tif 000009
【図８】
2010267546.tif 000010
【図９】
2010267546.tif 000011